(57)【要約】【課題】従来の技術による諸問題を解決するための省電力ＡＶシステムを提供する。【解決手段】省電力ＡＶシステムは、電力供給装置と、電力供給装置にカップリングされる第一スイッチと、電力供給装置にカップリングされる第二スイッチと、第二スイッチにカップリングされる電池と、第一スイッチにカップリングされる電源管理回路と、電源管理回路にカップリングされる少なくとも１個の電子装置と、集積回路（ＩＣ）とを含む。そのうちＩＣは、電源管理回路と少なくとも１個の電子装置にカップリングされ、少なくとも１個の電子装置の操作を制御する第一回路と、電池、第一スイッチ、第二スイッチ及び第一回路にカップリングされ、第一スイッチと第二スイッチを制御する第二回路とを含む。【選択図】図２
0003126130.tif 000002
【実用新案登録請求の範囲】
【請求項１】
映像音声（ＡＶ）システムであって、
電力供給装置と、
電力供給装置にカップリングされる第一スイッチと、
電力供給装置にカップリングされる第二スイッチと、
第二スイッチにカップリングされる電池と、
第一スイッチにカップリングされる電源管理回路と、
電源管理回路にカップリングされる少なくとも１個の電子装置と、
集積回路（ＩＣ）とを含み、そのうちＩＣは、
電源管理回路と少なくとも１個の電子装置にカップリングされ、少なくとも１個の電子装置の操作を制御する第一回路と、
電池、第一スイッチ、第二スイッチ及び第一回路にカップリングされ、第一スイッチと第二スイッチを制御する第二回路とを含むことを特徴とするＡＶシステム。
【請求項２】
前記第二回路は更に時間を計算するタイマーを含み、タイマーで計算された時間が予定時間になると、第二回路は第二スイッチを定期的にオンにし、そのたび電力供給装置は電池を充電することを特徴とする請求項１記載のＡＶシステム。
【請求項３】
前記ＡＶシステムは更に、第二回路と電池にカップリングされ、電池の電位を検知する検知器を含み、電池の電位が予定値を下回ると、第二回路は第二スイッチをオンにし、それにより電力供給装置は電池を充電することを特徴とする請求項１記載のＡＶシステム。
【請求項４】
前記電力供給装置は電圧を自動的に変換できる電力供給装置であることを特徴とする請求項１記載のＡＶシステム。
【請求項５】
前記第二回路はマイクロコントローラーユニット（ＭＣＵ）であることを特徴とする請求項１記載のＡＶシステム。
【請求項６】
前記少なくとも１個の電子装置は、テレビデコーダー、音声処理装置またはテレビチューナーであることを特徴とする請求項１記載のＡＶシステム。
【請求項７】
電源制御システムであって、
電力供給装置と、
電力供給装置にカップリングされる第一スイッチと、
電力供給装置にカップリングされる第二スイッチと、
第二スイッチにカップリングされる電池と、
ＩＣとを含み、そのうちＩＣは、
電池、第一スイッチ及び第二スイッチにカップリングされ、電池による電源を受けて第一スイッチと第二スイッチを制御する第二回路と、
電力供給装置にカップリングされ、第二回路が第一スイッチをオンにするとき、電力供給装置による電源を受ける第一回路とを含むことを特徴とする電源制御システム。
【請求項８】
前記電源制御システムは更に、第一スイッチと第一回路にカップリングされ、第一スイッチがオンにされるとき、電力供給装置による電源を少なくとも１つの操作電圧に変換する電源管理回路を含むことを特徴とする請求項７記載の電源制御システム。
【請求項９】
前記電源制御システムは更に、電源管理回路と第一回路にカップリングされ、第一スイッチがオンにされるとき、電力供給装置による操作電圧と第一回路による制御信号とを受ける少なくとも１個の電子装置を含むことを特徴とする請求項８記載の電源制御システム。
【請求項１０】
前記少なくとも１個の電子装置は、テレビデコーダー、音声処理装置またはテレビチューナーであることを特徴とする請求項９記載の電源制御システム。
【請求項１１】
前記第二回路は更に時間を計算するタイマーを含み、タイマーで計算された時間が予定時間になると、第二回路は第二スイッチを定期的にオンにし、そのたび電力供給装置は電池を充電することを特徴とする請求項７記載の電源制御システム。
【請求項１２】
前記電源制御システムは更に、第二回路と電池にカップリングされ、電池の電位を検知する検知器を含み、電池の電位が予定値を下回ると、第二回路は第二スイッチをオンにし、それにより電力供給装置は電池を充電することを特徴とする請求項７記載の電源制御システム。
【請求項１３】
前記電力供給装置は電圧を自動的に変換できる電力供給装置であることを特徴とする請求項７記載の電源制御システム。
【請求項１４】
前記第二回路はＭＣＵであることを特徴とする請求項７記載の電源制御システム。
【考案の詳細な説明】
【技術分野】
【０００１】
この考案は映像音声（ＡＶ）システムに関し、特に省電力のＡＶシステムに関する。
【背景技術】
【０００２】
図１を参照する。図１は従来の技術によるテレビシステム１を表す説明図である。テレビシステム１はチューナー１１と、音声処理装置１３と、テレビデコーダー１５と、メインＩＣ（集積回路）１４と、電源管理回路１２と、電力供給装置１０を含む。
【０００３】
メインＩＣ１４はマイクロコントロールユニット（ＭＣＵ）１４２と、映像処理装置１４１を備える。ＭＣＵ１４２はチューナー１１、音声処理装置１３と、テレビデコーダー１５と、映像処理装置１４１の操作を制御するものである。チューナー１１、音声処理装置１３、テレビデコーダー１５及びメインＩＣ１４に電力を供給する方法として、まず電力供給装置１０が電源管理回路１２に電圧を提供し、次に電源管理回路１２はチューナー１１、音声処理装置１３、テレビデコーダー１５及びメインＩＣ１４に必要に応じて電源を配分する。
【０００４】
テレビシステム１の電源を切るとき、ＭＣＵ１４２はチューナー１１、音声処理装置１３、テレビデコーダー１５及びメインＩＣ１４に信号を発してその動作を停止させる。チューナー１１、音声処理装置１３、テレビデコーダー１５及びメインＩＣ１４の動作が停止した状態においても、テレビシステム１の起動またはタイマーの設定に関連した入力信号を受信できるように、ＭＣＵ１４２は常に電源を入れたままにしなければならず、完全に切ることができない。そのため、電源が切られた状態においても、電源管理回路１２とチューナー１１、音声処理装置１３、テレビデコーダー１５の間には常に微弱な電流が流れており、不必要な電力消費をもたらすことになる。省エネ家電が市場の主流になった昨今においては、不必要な電力消費を節約することが重要な課題となっている。
【考案の開示】
【考案が解決しようとする課題】
【０００５】
この考案は前述の問題を解決するための省電力ＡＶシステムを提供することを課題とする。
【課題を解決するための手段】
【０００６】
この考案は省電力のＡＶシステムを提供する。該ＡＶシステムは、電力供給装置と、電力供給装置にカップリングされる第一スイッチと、電力供給装置にカップリングされる第二スイッチと、第二スイッチにカップリングされる電池と、第一スイッチにカップリングされる電源管理回路と、電源管理回路にカップリングされる少なくとも１個の電子装置と、集積回路（ＩＣ）とを含む。そのうちＩＣは、電源管理回路と少なくとも１個の電子装置にカップリングされ、少なくとも１個の電子装置の操作を制御する第一回路と、電池、第一スイッチ、第二スイッチ及び第一回路にカップリングされ、第一スイッチと第二スイッチを制御する第二回路とを含む。
【０００７】
この考案は更に電源制御システムを提供する。該電源制御システムは、電力供給装置と、電力供給装置にカップリングされる第一スイッチと、電力供給装置にカップリングされる第二スイッチと、第二スイッチにカップリングされる電池と、ＩＣとを含む。そのうちＩＣは、電池、第一スイッチ及び第二スイッチにカップリングされ、電池による電源を受けて第一スイッチと第二スイッチを制御する第二回路と、電力供給装置にカップリングされ、第二回路が第一スイッチをオンにするとき、電力供給装置による電源を受ける第一回路とを含む。
【考案の効果】
【０００８】
この考案によるＡＶシステムは非作動時の電力供給を完全に切断し、不必要な電力消費を節約できる。ＭＣＵに電力を供給する蓄電池は別途に設けられるため、非作動時にもＭＣＵは常時に電源が入り、入力信号の受信またはタイマー機能を維持することができる。
【考案を実施するための最良の形態】
【０００９】
かかる装置の特徴を詳述するために、具体的な実施例を挙げ、図を参照して以下に説明する。
【００１０】
図２を参照する。図２はこの考案によるＡＶシステム２を表す説明図である。ＡＶシステム２はチューナー１１と、音声処理装置１３と、テレビデコーダー１５と、メインＩＣ２４と、電源管理回路２２と、電力供給装置２０と、電池２６と、第一スイッチ（ＳＷ１）２７と、第二スイッチ（ＳＷ２）２９を含む。
【００１１】
メインＩＣ２４は第一回路２４１と第二回路２４２を備える。第一回路２４１と第二回路２４２の間には伝送インターフェイスが設けられ、第一スイッチ２７と第二スイッチ２９は第二回路２４２により制御される。その操作として、まず、第二回路２４２は第一スイッチ２７をオンにし、電力供給装置２０による電源管理回路２２への電圧供給を始めさせる。続いて、電源管理回路２２は第一回路２４１に電力を供給する。次に、第二回路２４２は第一回路２４１との間の伝送インターフェイスを通して、指令を送信して第一回路２４１を呼び起こす。これにより、第一回路２４１は電源管理回路２２による電力を利用して、チューナー１１、音声処理装置１３及びテレビデコーダー１５を制御することができる。
【００１２】
チューナー１１、音声処理装置１３、テレビデコーダー１５及び第一回路２４１に電力を供給する方法として、まず電力供給装置２０が電源管理回路２２に電圧を提供し、次に電源管理回路２２はチューナー１１、音声処理装置１３、テレビデコーダー１５及び第一回路２４１の必要とされる動作電圧に応じて電源を配分する。一方、第二回路２４２の電力は電池２６によって供給される。
【００１３】
ＡＶシステム２をオンにするとともに、第二回路２４２は第一スイッチ２７をオンにする。それにより、電力供給装置２０は電源管理回路２２を経由して電力をチューナー１１、音声処理装置１３、テレビデコーダー１５及び第一回路２４１に供給する。ＡＶシステム２をオフにすれば、第二回路２４２は第一スイッチ２７をオンにしない。したがって、電力供給装置２０の電源管理回路２２への電力供給は完全に止められ、電力消費は節約される。
【００１４】
リモコンまたはＡＶシステム２本体のボタンで入力された信号を受信し且つ後述のタイマー機能を維持するため、第二回路２４２は常に作動状態を保たなければならない。つまり、ＡＶシステム２の作動状態にかかわらず、第二回路２４２に対して電源を常時に供給しなければならない。したがって、この考案はメインＩＣ２４のうち第一回路２４１と第二回路２４２の電力供給手段を別々に設ける。ＡＶシステム２をオフにしても、第二回路２４２に対する電池２６の電力供給は切断されない。
【００１５】
加えて、第二回路２４２は、第二回路２４２と電池２６に接するように設けられる検知器２８を含む。電池２６の電圧が予定電圧を下回ると検知されれば、第二回路２４２は第二スイッチ２９をオンにする。この場合、第二回路２４２への電力供給を確保するため、電力供給装置２０は電池２６を充電する。あるいは、第二スイッチ２９をオフにする時間の予定時間を過ぎたと第二回路２４２のタイマー２４３により検知されれば、第二回路２４２は一定周期内に第二スイッチ２９をオンにし、電池２６を定期的に充電する。
【００１６】
この考案によるＡＶシステム２は、テレビシステムまたはＤＶＤプレイヤーなどその他のマルチメディア再生システムを含む。のみならず、この考案は電源の節約を要するすべての電気製品に適用する。電源管理回路２２にカップリングされる電子装置はチューナー１１、音声処理装置１３、テレビデコーダー１５に限らず、その他の電子装置で代替することが可能である。なお、第二回路２４２はＡＶシステム２の全体操作を制御するＭＣＵであり、電源供給装置２０は電圧を自動的に変換可能なものである。
【００１７】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【産業上の利用可能性】
【００１８】
この考案によるＡＶシステムは非作動時の電力供給を完全に切断し、不必要な電力消費を節約できる。ＭＣＵに電力を供給する蓄電池は別途に設けられるため、非作動時にもＭＣＵは常時に電源が入り、入力信号の受信またはタイマー機能を維持することができる。
【図面の簡単な説明】
【００１９】
【図１】従来の技術によるテレビシステムを表す説明図である。
【図２】この考案によるＡＶシステムを表す説明図である。
【符号の説明】
【００２０】
１          テレビシステム
２          ＡＶシステム
１０、２０  電力供給装置
１１        チューナー
１２、２２  電源管理回路
１３        音声処理装置
１４、２４  メインＩＣ
１５        テレビデコーダー
２６        電池
２７        第一スイッチ
２８        検知器
２９        第二スイッチ
１４１      映像処理装置
１４２      ＭＣＵ
２４１      第一回路
２４２      第二回路
２４３      タイマー
【図１】
0003126130.tif 000003
【図２】
0003126130.tif 000004